【事件の表示】
　特願２００３−４３５１２８「情報入力支援装置及び情報入力支援方法」拒絶査定不服審判事件〔平成１７年　７月２１日出願公開、特開２００５−１９６２５０〕について、次のとおり審決する。
【結　論】
　本件審判の請求は、成り立たない。
【理　由】
第１　手続の経緯
　本願は、平成１５年１２月２６日の出願であって、平成２１年１月１５日付けで手続補正がなされ、同年２月６日付けの最後の拒絶の理由の通知に対して、同年４月１３日付けで意見書が提出されるとともに、同日付けで手続補正がなされたが、同年５月２６日付けで同手続補正の却下の決定がされるとともに、同日付けで拒絶をすべき旨の査定がされ、これに対し同年９月２日に拒絶査定不服審判の請求がなされるとともに、同日付けで手続補正がなされ、平成２３年２月１７日付けの審尋に対して、同年４月２２日に回答書が提出されたものである。
　
第２　平成２１年９月２日付けの手続補正についての却下の決定
［結論］
　平成２１年９月２日付けの手続補正を却下する。
［理由］
１　補正後の本願発明
　平成２１年９月２日付けの手続補正（以下「本件補正」という。）により、平成２１年１月１５日付けの手続補正書の特許請求の範囲の請求項１（以下「補正前の請求項１」という。）は、同年９月２日付けの手続補正書の特許請求の範囲の請求項１（以下「補正後の請求項１」という。）に補正された。
　補正前の請求項１及び補正後の請求項１は、以下のとおりである。
　
補正前の請求項１
「ポインティングデバイスを用いた情報入力を支援する情報入力支援装置であって、
　利用者の指示入力を受け入れる操作手段であって、提示される情報の少なくとも一つを選択する指示入力を受け入れ可能な操作手段と、
　前記操作手段が受け入れた指示入力に応じて利用者が指示する位置をポインタ位置として取得し、入力すべき情報列の一部を構成する第１情報の候補を提示する第１候補提示ウインドウを表示し、前記第１候補提示ウインドウに提示された候補の一つが前記ポインタ位置の移動操作に関連して前記第１情報として選択されたときに、前記情報列の一部を構成し前記第１情報の次に配列される第２情報の候補を提示する第２候補提示ウインドウを前記第１候補提示ウインドウに隣接して表示する表示制御手段と、
　を含むことを特徴とする情報入力支援装置。」
　
補正後の請求項１
「ポインティングデバイスを用いた
文字列
　利用者の指示入力を受け入れる操作手段であって、提示される
文字列
　前記操作手段が受け入れた指示入力に応じて利用者が指示する位置をポインタ位置として取得し、入力すべき
文字列群
文字列
文字列
文字列群
文字列
文字列
　
前記第１文字列の選択操作が維持されたまま、前記第１候補提示ウインドウの表示領域から前記第２候補提示ウインドウの表示領域への前記ポインタ位置のスライド移動操作に関連して前記第２候補提示ウインドウに提示された候補の一つが前記第２文字列として選択されたときに、前記第１文字列と前記第２文字列とがこの順に配列された文字列群を、前記入力すべき文字列群として取得する入力文字列取得手段と、
　を含むことを特徴とする情報入力支援装置。」（下線は、当審が付与。）
　
　本件補正は、補正前の請求項１に記載した発明を特定するために必要な事項である「情報」及び「情報列」を、それぞれ「文字列」及び「文字列群」に限定し、補正前の請求項１に記載した発明を特定するために必要な事項である「第１情報」、「第２情報」、「第１候補提示ウインドウ」、「第２候補提示ウインドウ」、「選択」及び「移動操作」に関して「
前記第１文字列の選択操作が維持されたまま、前記第１候補提示ウインドウの表示領域から前記第２候補提示ウインドウの表示領域への前記ポインタ位置のスライド移動操作に関連して前記第２候補提示ウインドウに提示された候補の一つが前記第２文字列として選択されたときに、前記第１文字列と前記第２文字列とがこの順に配列された文字列群を、前記入力すべき文字列群として取得する入力文字列取得手段
　そこで、補正後の請求項１に記載された発明（以下「本願補正発明」という。）が特許出願の際独立して特許を受けることができるものであるか（特許法１７条の２第５項において準用する同法１２６条５項の規定に適合するか）について以下に検討する。
　
２　引用例の記載
（１）引用例１
　平成２３年２月１７日付けの審尋に記載された平成２２年２月３日付けの前置報告書に示された特開平９−２５９１２３号公報（平成９年１０月３日出願公開。以下「引用例１」という。）には、図面とともに次の事項が記載されている。
　
ア　「【０００１】
【発明の属する技術分野】本発明は、日本語の文字列の入力において、オペレータが過去に入力した文字列又はシステムが用意した文字列の入力を容易、かつ、効率的に行える文字入力装置及びその方法に関するものである。
」（段落【０００１】）
　
イ　「【０１０９】実施の形態８．この実施の形態は、入力された複数の文字列同士の共通する部分文字列で階層に分け、入力候補となる文字列を表示する際、文字列間の共通部分により階層表示をする文字入力装置について述べる。この実施の形態における文字入力装置の全体構成図は、図１を用いる。但し、入力候補管理部３は、入力候補記憶部１に記憶された複数の文字列の文字を比較し、この複数の文字列を共通する部分文字列で区切る。入力候補表示部４は、入力候補管理部３によりマークされた区切りにより、この複数の文字列の共通する部分文字列を分割し、階層表示する。
【０１１０】図２４は、入力候補記憶部１に記憶される入力候補の各情報の例である。図２４において、２３１は文字列記憶部であり、２３２は補助情報記憶部である。図２５は、入力候補記憶部１に記憶されている入力候補を、階層表示するために入力候補管理部３によって制御された情報の状態を示したものである。入力候補管理部３は、文字列同士の共通する部分文字列で階層表示の区切りとするように、各入力候補文字列を分割し、文字列の区切り情報としてマーク（図中、／で示す）する。また、図２６（ａ），図２６（ｂ）及び図２６（ｃ）は、それぞれ入力候補表示部４により表示された表示画面の例である。
【０１１１】図２７は、処理の流れを示したフローチャートである。以下、図２７のフローチャートに従って、処理を説明する。なお、ステップ４１から４６の処理は、図４と同様の処理であるので、説明は省略する。
【０１１２】ステップ４６の後、入力候補管理部３が文字列の最初の区切り情報をマークする（ステップ２６１）。入力候補管理部３は、入力候補記憶部１に記憶されている入力候補を階層表示するために各文字列を比較し、各文字列の共通する部分文字列で階層表示の区切りとするように入力候補文字列を分割し、分割した文字列と文字列の間を文字列の区切りとしてマークする。
【０１１３】図２４に示すような入力候補文字列の情報が、入力候補記憶部１に記憶されている場合を例にとる。入力候補管理部３は、入力候補記憶部１に記憶されている入力候補を階層表示するために、図２５に示すように、各文字列の共通部分文字列単位で分割し、文字列の区切り情報をマークする。つまり、文字列「富士」、文字列「富士山」及び文字列「富士見台」の場合、各文字列を先頭から比較すると「富士」までが共通であるので、「富士」の後に階層表示するための文字列区切り情報を入れる。図２５では、文字列「東京」と文字列「富士」が最初の区切り単位となる。
【０１１４】次に、上記入力候補の最初の区切り単位を、入力候補表示部４によって表示する（ステップ４８）。例えば、図２５に示すような入力候補文字列の情報が、入力候補記憶部１に記憶されている場合、入力候補表示部４によって入力候補は、図２６（ａ）に示すように表示される。
【０１１５】次に、入力候補の表示について、下位の階層を表示するかどうか調べる（ステップ２６２）。Ｎであれば、ステップ４９の処理へ進む。入力候補が、図２６（ａ）に示すように表示されている時に、オペレータが文字列「東京」の下位の階層の文字列の表示を希望する場合、オペレータがボタン２５１部分を押下する。入力候補管理部３は、オペレータがボタン２５１部分を押下したことを判断する。Ｙなら、入力候補管理部３は、指定された文字列の次の階層を表示するために、指定された文字列の次の区切り情報をマークする（ステップ２６３）。例えば、オペレータが文字列「東京」の下位の階層の文字列の表示を希望する場合、入力候補管理部３は、指定された文字列「東京」の次の階層の文字列「支店」と文字列「学園」を次の階層とするように区切り情報をマークする。
【０１１６】次に、ステップ２６３で階層化された入力候補を入力候補表示部４によって表示する（ステップ４８）。例えば、入力候補表示部４は、図２６（ｂ）で示すように、入力候補を表示する。ステップ２５２で、更に、文字列「支店」の次の階層の文字列を表示するように指示された場合、ステップ２６３で入力候補管理部３は、指定された文字列の次の階層となる部分文字列を調べ、区切りとなる情報をマークする。入力候補表示部４は、図２６（ｃ）で示すように入力候補を表示する（ステップ４８）。
【０１１７】次に、表示された入力候補の中から、オペレータにより所望の文字列が選択されると（ステップ４９）、該文字列は、入力部５に入力される。そして、該文字列を再び入力文字列として、ステップ４１に戻る。例えば、入力候補表示部４により入力候補が、図２６（ｂ）で示すように表示されている場合、オペレータがボタン２５２又はボタン２５３ではなく、文字列部分「支店」を押下すると、文字列「東京支店」が選択されたこととなり、文字列「東京支店」は、入力部５に入力される。
【０１１８】このように、入力候補を階層表示することにより、オペレータは、所望文字列の選択が容易となり、文字列の入力効率が上がる。また、既に入力した文字列の部分文字列も入力することができる。」（段落【０１０９】〜【０１１８】）
　
ウ　図２６（ａ）には、「東京」及び「富士」が縦に並んで配置され、「東京」の右横に白丸のボタン２５１及び「富士」の右横に白丸のボタンが配置された第１のウインドウが表示されることが記載されている。
　
エ　図２６（ｂ）には、「東京」及び「富士」が縦に並んで配置され、「東京」の右横に黒丸のボタン２５１及び「富士」の右横に白丸のボタンが配置された第１のウインドウが表示され、また、前記第１のウインドウに隣接して、「支店」及び「学園」が縦に並んで配置され、「支店」の右横に白丸のボタン２５２及び「学園」の右横に白丸のボタン２５３が配置された第２のウインドウが表示されることが記載されている。
　
　以上の記載によれば、引用例１には、次の発明（以下「引用発明１」という。）が記載されている。
　
「文字列の入力を容易かつ効率的に行え、入力候補を階層表示する文字入力装置において、
　入力候補の最初の区切り単位である文字列「東京」及び文字列「富士」が縦に並んで配置され、「東京」の右横に白丸のボタン２５１及び「富士」の右横に白丸のボタンが配置された第１のウインドウが表示され、
　前記第１のウインドウが表示されている時に、オペレータが文字列「東京」の下位の階層の文字列の表示を希望する場合、オペレータがボタン２５１部分を押下すると、ボタン２５１は白丸から黒丸になり、その黒丸の状態を維持しつつ、前記第１のウインドウに隣接して、階層化された入力候補である文字列「支店」及び文字列「学園」が縦に並んで配置された第２のウインドウが表示され、
　オペレータが、文字列部分「支店」を押下すると、文字列「東京支店」が選択されたこととなり、文字列「東京支店」は入力される、
　文字入力装置。」
　
（２）引用例２
　当審において新たに引用する特開２００３−３３７８２６号公報（平成１５年１１月２８日出願公開。以下「引用例２」という。）には、図面とともに次の事項が記載されている。
　
オ　「【００３１】次に、メニュー表示プログラムについて説明する。
【００３２】ウェブサーバがメニュー表示プログラムを実行し、ウェブ端末はそれによって与えられるコンテンツデータをブラウザで表示し、ブラウザの表示画面上での操作がウェブサーバに取り込まれて、ＩＰモジュールの検索を可能にする。
【００３３】図１にはブラウザによるＩＰモジュール検索用のメニュー表示画面が例示される。表示画面１０は、検索種別フィールド１１、階層メニューとしてのキャスケードメニュー表示１２、第１操作ボタン１３、第２操作ボタン１４、及び検索閾値フィールド１５を有する。前記検索種別フィールド１１はＩＰモジュールの検索種別を指定するフィールドであり、図では製品中におけるＩＰモジュール（IPin Product）が指定されている。階層メニュー表示１２は、ルートメニューを先頭に、トップ階層としての検索メニューが表示され、その下位側にはオンマウス（ポインティング）されているメニュー項目の下位階層のメニューが展開して表示される形式のキャスケードメニュー表示を実現する。第１操作ボタン１３は、オンマウスによって指示される全てのキャスケードメニュー項目の表示を選択するボタンである。第２操作ボタン１４は、オンマウスによって指示されるキャスケードメニュー項目のうちコンポーネントが存在するメニュー項目の表示を選択するボタンである。検索閾値フィールド１５は、ＩＰモジュールの検索結果画面の表示に遷移するために必要なコンポーネント数が設定されるフィールドである。そのコンポーネント数はキャスケード表示された最下位のメニュー項目が保有するコンポーネント数（ＩＰモジュール数）である。Ｂ１〜Ｂ３は操作ボタン１３，１４及び検索閾値フィールド１５の機能説明を示すバルーン表示である。
【００３４】キャスケードメニューのメニュー項目（一つのメニューフィールド）は、表示用に以下の情報を持つ。第１に、機能名テキストである。ルートメニューには当該メニューを総称する機能名として、例えば“ＩＰ”と表示され、その下位には例えば“ＣＰＵ”と表示される。第２に、下位構造がある場合に、あることを示すシンボル情報２６、例えば矢印記号が表示される。第３に、最下位階層のメニュー項目におけるコンポーネント数（ＩＰモジュール数）を示す。例えば機能名“ＣＰＵ”のメニュー項目には最下位階層のコンポーネント数“（１０７）”が示され、機能名“Ｐｏｒｔ” のメニュー項目にはコンポーネント数“（３３９）”が示され、機能名“ＳＨ３”のメニュー項目にはコンポーネント数“（１２）”が示される。
【００３５】マウスカーソルに代表されるポインティングカーソル２０をメニューフィールド上に位置付けると以下の動作を行う。第１に、フィールドの色を変えて他と区別可能にする。第２に、下位のメニュー構造がある場合、その下位メニュー構造を右側に展開表示する。右側の下位構造のメニューにカーソルを移動した時、その上位階層のフィールドの色は保持する。カーソルを上位階層に戻した場合、その下位階層表示は消去する。以上の動作をメニューフィールドにポインティングカーソル２０を位置付ける度に行う。
【００３６】ポインティングカーソル２０でメニューの階層を深さ方向に複数の階層を辿ったとき、その経路情報（機能階層パス名）を保持する。例えば図の例では、“／ＩＰ／ＣＰＵ／３２ｂｉｔ／ＳＨ３”の経路情報２１を表示する。更に参照符号２３で例示されるように、オンマウスされたメニュー項目のコンポーネント数、及び参照符号２４で例示されるようにメニュー項目（機能階層）の説明テキストが示される。
【００３７】メニューフィールドをクリックした時点で、そのフィールドまでの経路情報等が確定する。これによって以下の処理が行なわれる。機能階層パスでデータベースの検索が行われる。検索されたＩＰモジュールの個数が図示を省略する次の検索画面に表示される。検索画面で見つかったＩＰモジュールの個数を確認し、個数が、前記検索閾値フィールド１５で指定されている数よりも多い場合には、更に検索条件の追加を待ってコンポーネント数の絞り込みが可能にされる。個数が前記検索閾値フィールド１５で指定される数以下の場合には、検索結果として、例えば、コンポーネント毎に、ＩＰモジュール名、ＩＰモジュールの機能説明、適用製品名、リリースコンディション等が表示される。特に制限されないが、その検索結果画面からＩＰモジュールデータのダウンロード要求に答えることも可能である。このように、キャスケードメニュー表示を用いることにより、階層構造での検索対象の指定がし易くし、さらに、いきなり詳細検索を行なうことなくデータベースの検索を行なうことができ、ＩＰモジュール検索の操作性を向上させることができる。
【００３８】図３には検索メニュー表示処理のメインルーチンが例示される。図においてウェブサーバ（単にサーバとも記す）での作業には（Ｓ）を付し、ブラウザでの作業には（Ｂ）を付して、区別してある。フローチャートの判断ステップにおけるＮは“ＮＯ”、Ｙは“ＹＥＳ”を意味する。
【００３９】ウェブサーバ（単にサーバとも記す）は図１の表示画面より、ボタン１３又は１４の操作状態に応じて全メニュー表示か否かの情報を取得し（ＳＴ１）、フィールド１５の設定値により検索画面スキップ用閾値を取得する（ＳＴ２）。全メニュー表示か否かを判定し（ＳＴ３）、全メニュー表示なら全メニュー表示用フラグをセットし（ＳＴ４）、全メニュー表示でないなら未登録メニュースキップフラグをセットする（ＳＴ５）。この後、サーバはメニュー表示用テーブルを作成し（ＳＴ６）、これを用いてブラウザはメニュー画面を表示する（ＳＴ７）。
【００４０】ブラウザはメニュー画面上で、キャスケードメニュー項目にオンマウスされたか（ＳＴ８）、オフマウスされたか（ＳＴ１２）、オンマウス状態でクリック（オンクリック）されたか（ＳＴ１４）、ボタン操作があったか（ＳＴ１６）、フィールド１５で閾値変更があったか（ＳＴ１８）を順次検出する。
【００４１】オンマウスがあったときは、オンマウスされたメニュー項目に対応して、領域２１に機能階層を表示し、領域２４に機能説明を表示し、領域２３にコンポーネント数を表示する（ＳＴ９）。更にオンマウスされたメニュー項目に対して下層メニュー展開表示処理（ＳＴ１０）、下層メニューオンマウス処理（ＳＴ１１）を行なう。オフマウスがあれば、下層メニュー及びその付随情報の表示クリア処理を行なう（ＳＴ１３）。オンクリックがあればオンクリック作業に移る（ＳＴ１５）。１３又は１４のボタン操作があれば、ボタン操作作業に移る（ＳＴ１７）。１５フィールドの閾値変更があれば閾値変更作業に移る（ＳＴ１９）。」（段落【００３１】〜【００４１】）
　
３　対比
　本願補正発明と引用発明１を対比する。
　引用発明１の「文字入力装置」は、文字列の入力を容易かつ効率的に行うためのものであるから、情報の一態様である文字列の入力を支援するものであるといえる。したがって、引用発明１の「文字入力装置」は、本願補正発明の文字列入力を支援する「情報入力支援装置」に相当する。また、引用発明１において、第１のウインドウが表示されている時に、オペレータがボタン２５１部分を押下する操作を行うことから、引用発明１の文字入力装置がポインティングデバイスを用いるものであることは明らかである。
　引用発明１の「オペレータ」は、本願補正発明の「利用者」に相当する。また、引用発明１の「ボタン２５１部分を押下する」構成は、本願補正発明の「指示入力」に相当する。さらに、引用発明１の「文字列『東京』」は、本願補正発明の「提示される文字列の少なくとも一つ」に相当する。加えて、引用発明１において、オペレータがボタン２５１部分を押下すると、文字列「東京」が選択されることは明らかである。そうすると、引用発明１は、本願補正発明の「利用者の指示入力を受け入れる操作手段であって、提示される文字列の少なくとも一つを選択する指示入力を受け入れ可能な操作手段」に相当する構成を有しているといえる。
　引用発明１の「文字列『東京』」及び「文字列『富士』」のそれぞれは、入力候補の最初の区切り単位であるから、本願補正発明の「入力すべき文字列群の一部を構成する第１文字列の候補」に相当する。また、引用発明１の「第１のウインドウ」は、文字列「東京」及び文字列「富士」を提示しているから、本願補正発明の「第１候補提示ウインドウ」に相当する。
　引用発明１の「文字列『支店』」及び「文字列『学園』」のそれぞれは、文字列「東京支店」及び文字列「東京学園」の一部を構成し、文字列「東京」の次に配列される文字列の入力候補であるから、本願補正発明の「入力すべき文字列群の一部を構成し前記第１文字列の次に配列される第２文字列の候補」に相当する。また、引用発明１の「第２のウインドウ」は、文字列「支店」及び文字列「学園」を提示しているから、本願補正発明の「第２候補提示ウインドウ」に相当する。
　引用発明１において、第１のウインドウが表示されている時に、オペレータがボタン２５１部分を押下すると、ボタン２５１は白丸から黒丸になるから、オペレータの指示する位置をポインタ位置として取得しているのは明らかであり、また、この取得されたポインタ位置は、表示制御に用いられるものであるから、この取得が表示を制御する手段により行われることは明らかである。したがって、引用発明１は、本願補正発明の「前記操作手段が受け入れた指示入力に応じて利用者が指示する位置をポインタ位置として取得」する「表示制御手段」に相当する構成を有している。また、引用発明１において、オペレータがボタン２５１部分を押下すると、文字列「東京」が選択されることは明らかであるから、オペレータがボタン２５１部分を押下するときとは、オペレータが指示するポインタ位置の押下操作を行うことに関連して文字列「東京」が選択されたときであるといえる。そして、この「押下操作」と本願補正発明の「移動操作」は「操作」である点で一致する。さらに、引用発明１において、入力候補の最初の区切り単位である文字列「東京」及び文字列「富士」が縦に並んで配置され、「東京」の右横に白丸のボタン２５１及び「富士」の右横に白丸のボタンが配置された第１のウインドウが表示され、前記第１のウインドウが表示されている時に、オペレータが文字列「東京」の下位の階層の文字列の表示を希望する場合、オペレータがボタン２５１部分を押下すると、ボタン２５１は白丸から黒丸になり、その黒丸の状態を維持しつつ、前記第１のウインドウに隣接して、階層化された入力候補である文字列「支店」及び文字列「学園」が縦に並んで配置された第２のウインドウが表示される構成は、表示を制御する手段が行っていることは明らかである。そうすると、引用発明１の「入力候補の最初の区切り単位である文字列『東京』及び文字列『富士』が縦に並んで配置され、『東京』の右横に白丸のボタン２５１及び『富士』の右横に白丸のボタンが配置された第１のウインドウが表示され、前記第１のウインドウが表示されている時に、オペレータが文字列『東京』の下位の階層の文字列の表示を希望する場合、オペレータがボタン２５１部分を押下すると、ボタン２５１は白丸から黒丸になり、その黒丸の状態を維持しつつ、前記第１のウインドウに隣接して、階層化された入力候補である文字列『支店』及び文字列『学園』が縦に並んで配置された第２のウインドウが表示され」る構成と本願補正発明の「前記操作手段が受け入れた指示入力に応じて利用者が指示する位置をポインタ位置として取得し、入力すべき文字列群の一部を構成する第１文字列の候補を提示する第１候補提示ウインドウを表示し、前記第１候補提示ウインドウに提示された候補の一つが前記ポインタ位置の移動操作に関連して前記第１文字列として選択されたときに、前記入力すべき文字列群の一部を構成し前記第１文字列の次に配列される第２文字列の候補を提示する第２候補提示ウインドウを前記第１候補提示ウインドウに隣接して表示する表示制御手段」は、「前記操作手段が受け入れた指示入力に応じて利用者が指示する位置をポインタ位置として取得し、入力すべき文字列群の一部を構成する第１文字列の候補を提示する第１候補提示ウインドウを表示し、前記第１候補提示ウインドウに提示された候補の一つが前記ポインタ位置の操作に関連して前記第１文字列として選択されたときに、前記入力すべき文字列群の一部を構成し前記第１文字列の次に配列される第２文字列の候補を提示する第２候補提示ウインドウを前記第１候補提示ウインドウに隣接して表示する表示制御手段」である点で一致する。
　引用発明１において、オペレータが第１のウインドウの「東京」の右横にあるボタン２５１部分を押下すると、ボタン２５１は白丸から黒丸になり、その黒丸の状態を維持しつつ、オペレータが、第２のウインドウの文字列部分「支店」を押下すると、文字列「東京支店」が選択されたこととなり、文字列「東京支店」は入力されることから、オペレータが文字列部分「支店」を押下するときとは、オペレータが指示するポインタ位置の押下操作を行うことに関連して文字列「支店」が選択されたときであるといえる。そして、この「押下操作」と本願補正発明の「スライド移動操作」は「操作」である点で一致する。また、引用発明１の「文字列『東京支店』」は、本願補正発明の「前記第１文字列と前記第２文字列とがこの順に配列された文字列群」に相当する。さらに、引用発明１において、文字列「東京支店」は入力されることから、引用発明１は、文字列「東京支店」を入力すべき文字列群として取得する入力文字列取得手段を有しているといえる。加えて、引用発明１において、オペレータが第１のウインドウの「東京」の右横にあるボタン２５１部分を押下すると、ボタン２５１は白丸から黒丸になり、その黒丸の状態を維持しつつ、オペレータが、第２のウインドウの文字列部分「支店」を押下すると、文字列「東京支店」が選択されたこととなり、文字列「東京支店」は入力されることから、文字列「東京」の選択操作が維持されたまま、文字列「支店」が選択され、文字列「東京支店」が取得されているといえる。そうすると、引用発明１の「オペレータがボタン２５１部分を押下すると、ボタン２５１は白丸から黒丸になり、その黒丸の状態を維持しつつ、前記第１のウインドウに隣接して、階層化された入力候補である文字列『支店』及び文字列『学園』が縦に並んで配置された第２のウインドウが表示され、オペレータが、文字列部分『支店』を押下すると、文字列『東京支店』が選択されたこととなり、文字列『東京支店』は入力される」構成と本願補正発明の「前記第１文字列の選択操作が維持されたまま、前記第１候補提示ウインドウの表示領域から前記第２候補提示ウインドウの表示領域への前記ポインタ位置のスライド移動操作に関連して前記第２候補提示ウインドウに提示された候補の一つが前記第２文字列として選択されたときに、前記第１文字列と前記第２文字列とがこの順に配列された文字列群を、前記入力すべき文字列群として取得する入力文字列取得手段」は、「前記第１文字列の選択操作が維持されたまま、前記ポインタ位置の操作に関連して前記第２候補提示ウインドウに提示された候補の一つが前記第２文字列として選択されたときに、前記第１文字列と前記第２文字列とがこの順に配列された文字列群を、前記入力すべき文字列群として取得する入力文字列取得手段」である点で一致する。
　
　すると、本願補正発明と引用発明１とは、次の点で一致する。
＜一致点＞
「ポインティングデバイスを用いた文字列入力を支援する情報入力支援装置であって、
　利用者の指示入力を受け入れる操作手段であって、提示される文字列の少なくとも一つを選択する指示入力を受け入れ可能な操作手段と、
　前記操作手段が受け入れた指示入力に応じて利用者が指示する位置をポインタ位置として取得し、入力すべき文字列群の一部を構成する第１文字列の候補を提示する第１候補提示ウインドウを表示し、前記第１候補提示ウインドウに提示された候補の一つが前記ポインタ位置の操作に関連して前記第１文字列として選択されたときに、前記入力すべき文字列群の一部を構成し前記第１文字列の次に配列される第２文字列の候補を提示する第２候補提示ウインドウを前記第１候補提示ウインドウに隣接して表示する表示制御手段と、
　前記第１文字列の選択操作が維持されたまま、前記ポインタ位置の操作に関連して前記第２候補提示ウインドウに提示された候補の一つが前記第２文字列として選択されたときに、前記第１文字列と前記第２文字列とがこの順に配列された文字列群を、前記入力すべき文字列群として取得する入力文字列取得手段と、
　を含むことを特徴とする情報入力支援装置。」
　
　一方、両者は次の点で相違する。
＜相違点１＞
　本願補正発明では、第１候補提示ウインドウに提示された候補の一つが第１文字列として選択される動作が、ポインタ位置の移動操作に関連しているのに対し、引用発明１では、ポインタ位置の押下操作に関連している点。
＜相違点２＞
　本願補正発明では、第２候補提示ウインドウに提示された候補の一つが前記第２文字列として選択される動作が、第１候補提示ウインドウの表示領域から第２候補提示ウインドウの表示領域へのポインタ位置のスライド移動操作に関連しているのに対し、引用発明１では、ポインタ位置の押下操作に関連している点。
　
４　当審の判断
　上記相違点について検討する。
＜相違点１及び２についての検討＞
　引用例２には、各メニューフィールドは、”ＩＰ”、”ＣＰＵ”、”３２ｂｉｔ”又は”ＳＨ３”などの機能名を持ち、ポインティングカーソルをメニュー構造のメニューフィールド上に位置付ける度、そのメニューフィールドの色を変えて他と区別可能にし、下位階層のメニュー構造がある場合、その下位階層のメニュー構造を右側に展開表示し、右側の下位階層のメニュー構造にポインティングカーソルを移動した時、その上位階層のメニュー構造のメニューフィールドの色は保持し、また、ポインティングカーソルでメニューの階層を深さ方向に複数の階層を辿ったとき、その経路情報である機能階層パス名、例えば、／ＩＰ／ＣＰＵ／３２ｂｉｔ／ＳＨ３を保持する技術が記載されている。ここで、引用例２に記載された技術の上位階層のメニュー構造、下位階層のメニュー構造、上位階層のメニュー構造のメニューフィールドの機能名及び下位階層のメニュー構造のメニューフィールドの機能名は、それぞれ本願補正発明の「第１候補提示ウインドウ」、「第２候補提示ウインドウ」、「第１文字列」及び「第２文字列」に相当する。また、引用例２に記載された技術において、各メニューフィールドは、機能名を持ち、ポインティングカーソルをメニュー構造のメニューフィールド上に位置付ける度、そのメニューフィールドの色を変えて他と区別可能にし、ポインティングカーソルでメニューの階層を深さ方向に複数の階層を辿ったとき、その経路情報である機能階層パス名を保持することから、ポインタ位置の移動操作に関連してメニューフィールドの機能名を選択しているといえる。さらに、引用例２に記載された技術において、右側の下位階層のメニュー構造にポインティングカーソルを移動して、下位階層のメニュー構造のメニューフィールド上に位置付けると、そのメニューフィールドの色を変えて他と区別可能にすることは明らかであるから、上位階層のメニュー構造の表示領域から下位階層のメニュー構造の表示領域へのポインタ位置のスライド移動操作に関連して、下位階層のメニュー構造のメニューフィールドの機能名を選択しているといえる。
　そして、引用発明１及び引用例２に記載された技術の属する技術分野は、階層的に文字列を表示し、それらを選択して文字列を生成する技術である点で共通する。
　したがって、引用発明１において、引用例２に記載された技術を適用して、第１候補提示ウインドウに提示された候補の一つがポインタ位置の移動操作に関連して第１文字列として選択されるように構成し、また、第１候補提示ウインドウの表示領域から第２候補提示ウインドウの表示領域へのポインタ位置のスライド移動操作に関連して第２候補提示ウインドウに提示された候補の一つが第２文字列として選択されるように構成することは、当業者が容易に想到し得ることである。
　
　また、本願補正発明の構成によって生じる効果も、引用発明１及び引用例２に記載された技術から当業者が予測できる程度のものである。
　
　したがって、本願補正発明は、引用発明１及び引用例２に記載された技術に基づいて、当業者が容易に発明をすることができたものであるから、特許法２９条２項の規定により特許出願の際独立して特許を受けることができないものである。
　
５　むすび
　以上のとおり、本件補正は、平成１８年法律５５号改正附則３条１項によりなお従前の例によるとされる同法による改正前の特許法１７条の２第５項において準用する同法１２６条５項の規定に違反するので、同法１５９条１項において読み替えて準用する同法５３条１項の規定により却下すべきものである。
　
第３　本願発明について
　平成２１年９月２日付けの手続補正は上記のとおり却下されたので、本願の請求項１に係る発明（以下「本願発明」という。）は、補正前の請求項１に記載された事項により特定される、前記「第２　１」に記載したとおりのものであると認める。
　
１　引用例の記載
　原査定の拒絶の理由に引用された特開２００１−２８２７７８号公報（平成１３年１０月１２日出願公開。以下「引用例３」という。）には、図面とともに次の事項が記載されている。
　
カ　「【０００１】
【発明の属する技術分野】本発明は、情報処理装置および方法、並びに記録媒体に関し、特に、文字列の入力操作の高速化と簡略化を実現できるようにした情報処理装置および方法、並びに記録媒体に関する。」（段落【０００１】）
　
キ　「【００１５】
【発明の実施の形態】図１は、本発明に係る文章入力装置１の一実施の形態の構成を示す図である。
【００１６】文章入力装置１のマイクロフォン１１には、文字列の入力や文字列の予測例示の選択の際に、ユーザが発する音声が入力される。マイクロフォン１１は、トークスイッチ１６が、押されている間はオンに、押されていない間はオフの状態となる。従って、ユーザは文字列を入力する際に、トークスイッチ１６を押し、入力が終了した時点で、トークスイッチ１６を離すようにすることで、文字列として入力したい音声だけを入力させるようにすることができる。
【００１７】入力キー１２は、文字列の入力、入力候補の選択、または、予測例示の選択の際にユーザにより操作され、所望の文字列などを入力することができるようになされている。入力ペン１３は、文字列の入力、入力候補の選択、または、予測例示の選択の際にユーザにより操作され、所望の文字列を入力欄やLCD１５上の選択部分などの感圧式タブレット１４をなぞったり、触れたりすることで入力するものである。
【００１８】トークスイッチ１６は、一方の短部が軸として固定され、他方の短部が図中矢印A方向に可動できるようになされたスイッチであり、図中の矢印Aの右方向に押し込まれたとき、マイクロフォン１１をオンの状態にし、図中の矢印Aの左方向（図に表示された状態）のとき、マイクロフォン１１をオフの状態にする。
【００１９】入力選択部１７は、タブレットボタンなどにより構成され、入力に使用するマイクロフォン１１、入力キー１２、または、入力ペン１３のいずれかを選択し、切り替えるものである。もちろん、入力選択部１７は、タブレットボタン以外のものでもよく、例えば、ダイヤル方式などでもよい。
【００２０】図２は、図1の文章入力装置１の内部の構成を示したブロック図である。音声認識部３１は、制御部１０１により制御され、HMM（Hidden Markov Model：隠れマルコフモデル）と呼ばれる音声認識手法により、マイクロフォン１１から入力された音声を認識し、その認識結果から候補となる文字列（入力候補）を予測例示部３５に出力する。音声認識部３１は、入力された音声と、予測例示部３５より供給される、選択された文字列を組み合わせて記憶し、音声認識モデルを学習させる。なお、音声認識方法は、HMM以外の方法であってもよい。
【００２１】ペン入力部３２は、制御部１０１により制御され、文字列入力の際には、感圧式タブレット１４から供給された入力ペン１３によりなぞられたタブレットの圧力分布の電気信号を、手書き文字認識部３３に照合させ、入力された文字列を検索し、入力された文字列の候補を予測例示部３５に出力する。また、入力候補や予測例示の選択の際には、ペン入力部３２は、選択された（入力ペン１３により押されたり、なぞられたりした）部分に対応する信号を予測例示部３５に出力する。
【００２２】キー入力部３４は、制御部１０１により制御され、文字列を入力する際には、入力キー１２により入力された文字に対応する文字列の候補を予測例示部３５に出力する。また、入力候補や予測例示の選択の際には、キー入力部３４は、カーソルなどの移動により選択された部分の信号を予測例示部３５に出力する。
【００２３】予測例示部３５は、制御部１０１により制御され、音声認識部３１、ペン入力部３２、または、キー入力部３４より入力される文字列を、HDD３５ａに記録されている、これまでに入力された入力文データベースで検索し、入力された文字列に引き続いて入力されることが予測される文字列の候補を予測例示として検索し、入力された文字列と共に表示部３７を介してLCD１５の文字入力ウィンドウ４２（図３乃至図６）に表示させる。また、予測例示部３５は、音声認識部３１、ペン入力部３２、または、キー入力部３４から入力された、予測例示の候補の中から選択された（確定された）文字列を、アプリケーション処理部３６に出力する。尚、予測例示部３５の処理については、詳細を後述する。
【００２４】アプリケーション処理部３６は、制御部１０１により制御され、いわゆるワードプロセッサとして使用されるアプリケーションソフトウェアを実行させる。アプリケーション処理部３６は、予測例示部３５から入力される選択された（確定された）文字列を、アプリケーションソフトウェア上に入力した状態で、表示処理部３７に出力し、LCD１５に表示させる。
【００２５】表示処理部３７は、制御部１０１により制御され、予測例示部３５、または、アプリケーション処理部３６から入力された信号を処理し、LCD１５に表示させる。
【００２６】制御部１０１は、文章入力装置１の全体の動作を制御しており、メインバス１０２に接続されたROM（Read Only Memory）１０３に記録されている基本プログラムを、RAM（Random Access Memory）１０４に適宜読み込んで実行させる。また、制御部１０１は、HDD１０５に記録されたOS（Operating System）などのプログラムを、RAM１０４に適宜読み込んで実行する。さらに、制御部１０１は、ドライブ１１０に装着された磁気ディスク１１１、光ディスク１１２、光磁気ディスク１１３、または、半導体メモリ１１４に記録されたプログラムなどを、適宜RAM１０４に読み込んで実行する。
【００２７】次に、予測例示部３５の処理について説明する。予測例示部３５は、文字列が、音声認識部３１、ペン入力部３２、または、キー入力部３４のいずれから入力されたかにより、表示処理部３７に出力する内容（表示させる内容）が異なる。
【００２８】図３は、音声認識部３１から文字列が入力された場合の予測例示部３５からの出力内容が、LCD１５に表示された例である。アプリケーション表示部４１は、アプリケーション処理部３６より入力された内容が表示される部分である。文字入力ウィンドウ４２は、予測例示部３５より入力された内容が表示される部分である。
【００２９】今、例えば、ユーザが「私は」と、マイクロフォン１１に音声として入力した場合、音声認識部３１は、入力された音声パターンを音声認識モデルに照合し、その文字列の候補として、可能性の高い順に「私の」、「あたしの」、「明石の」、および、「たかしの」を予測例示部３５に出力したとものする。尚、今の場合、文字列の候補は、その可能性の高い順に、上位４位までとしているが、任意に設定できるようにしてもよい。
【００３０】このとき、音声入力表示部５１には、音声認識部３１より検出された文字列の候補が、その可能性の高い順に上から「私の」、「あたしの」、「明石の」、および、「たかしの」と、入力候補表示部５１ａに表示され、入力候補として最も可能性が高いとされる「私の」は、反転文字表示されている。
【００３１】その右側の予測例示表示部５２には、音声入力表示部５１に表示されている文字列の候補として可能性の最も高い「私の」に、引き続き入力されると予測される予測例示として、「名前は」、「予定は」、「考えは」、「フレックスホリデーの」、「次の」、「レポートは」、および、「担当は」が表示されている。尚、予測例示部３５の予測例示の検索処理については後述する。また、今の場合、予測例示の候補は、７つとなっているが、この候補数は、任意に設定できるようにしてもよい。
【００３２】ユーザは、音声入力表示部５１の入力候補表示部５１ａに表示された「私の」、「あたしの」、「明石の」、および、「たかしの」の中から所望の内容を、入力ペン１３を操作してその部分を押すか、または、入力キー１２を操作するなどして選択する。今の場合、予測例示表示部５２には、入力候補表示部５１ａの最上位に反転文字として表示されている、入力候補として最も可能性の高い「私の」に、引き続いて入力される予測例示が、表示されているが、それ以外のものが選択されたときには、予測例示表示部５２の表示内容は、選択された文字列に対応して変化することになる。
【００３３】この入力候補表示部５１ａに表示された文字列の選択は、音声認識された文字列の場合、音声認識が正しくなされたか否かを判定するものとなるので、音声入力（マイクロフォン１１による入力）以外の入力キー１２または入力ペン１３で行う必要がある。ただし、今の場合、「私の」は、所望の文字列であるので、次に続く文字列（予測例示）が選択されると、「私の」も選択されたことになる。この場合、特に、音声入力以外の方法を使う必要はない。
【００３４】また、ユーザは、予測例示表示部５２に表示された「名前は」、「予定は」、「考えは」、「フレックスホリデーの」、「次の」、「レポートは」、および、「担当は」の中から所望のものを、マイクロフォン１１から音声入力するか、入力ペン１３を操作して、その部分を押すか、または、入力キー１２を操作するなどして選択してもよいし、それ以外の文字列をマイクロフォン１１、入力キー１２、または、入力ペン１３を操作して入力するようにしてもよい。
【００３５】例えば、「名前は」が選択された場合、図４に示すように、予測例示部３５は、アプリケーション表示部４１に、入力された「私の名前は」を表示させる。また、予測例示部３５は、音声入力表示部５１に代えて、直前入力として「名前は」が選択されたことを示す直前入力表示部６１を表示させる。さらに、予測例示部３５は、「名前は」に引き続く予測例示を検索し、予測例示表示部５２に表示させる。図４の例では、予測例示表示部５２には、「佐藤です」、「加藤です」、「鈴木です」、「何でしょう」、「ない」、「難しい」、または、「わからない」が表示されている。」（段落【００１５】〜【００３５】）
　
ク　「【００８２】
【発明の効果】本発明の情報処理装置および方法、並びに記録媒体によれば、入力された音声を認識し、対応する認識文字列の候補を検出し、検出した音声に対応する認識文字列候補を表示し、表示した認識文字列候補から所望の認識文字列を選択し、選択した認識文字列、または、直前の既に選択された文字列に続くことが予測される文字列の候補を検出し、検出した予測文字列候補を表示し、表示した予測文字列候補から所望の予測文字列を選択するようにしたので、文字列の入力の高速化と簡略化が実現される。」（段落【００８２】）
　
ケ　図３には、音声入力表示部５１の中に入力候補表示部５１ａが表示され、予測例示表示部５２が音声入力表示部５１と隣接して表示されていることが記載されている。
　
　以上の記載によれば、引用例３には、次の発明（以下「引用発明３」という。）が記載されている。
　
「入力ペン１３及び感圧式タブレット１４を備え、
　入力ペン１３は、入力候補の選択又は予測例示の選択の際にユーザにより操作され、所望の文字列をＬＣＤ１５上の選択部分などの感圧式タブレット１４を触れたりすることで入力するものである、
　文字列の入力の高速化と簡略化が実現される文章入力装置１において、
　ユーザは、音声入力表示部５１の中の入力候補表示部５１ａに表示された文字列の候補である入力候補の中から所望の文字列を、入力ペン１３を操作してその部分を押して選択したときに、予測例示表示部５２には、選択された文字列に引き続き入力されると予測される文字列である予測例示が表示され、
　予測例示表示部５２が音声入力表示部５１と隣接して表示されている
　文章入力装置１。」
　
２　対比
　本願発明と引用発明３を対比する。
　引用発明３の「入力ペン１３」は、本願発明の「ポインティングデバイス」に相当する。
　引用発明３の「文字列」及び「文章」は、本願発明の「情報」に相当する。
　引用発明３において、文章入力装置１は、文字列の入力の高速化と簡略化が実現されるものであるから、文字列という情報の入力を支援するものであるといえる。したがって引用発明３の「文章入力装置１」は、本願発明の情報入力を支援する「情報入力支援装置」に相当する。
　引用発明３の「ユーザ」は、本願発明の「利用者」に相当する。また、引用発明３において、入力ペン１３で感圧式タブレット１４を触れることによる入力は、本願発明の「指示入力」に相当する。さらに、引用発明３の「入力候補」は、本願発明の「提示される文字列の少なくとも一つ」に相当する。そして、引用発明３において、入力ペン１３は、入力候補の選択の際にユーザにより操作され、所望の文字列をＬＣＤ１５上の選択部分の感圧式タブレット１４を触れることで入力するものであるから、引用発明３の「感圧式タブレット１４」は、本願発明の利用者の指示入力を受け入れる操作手段であって、提示される情報の少なくとも一つを選択する指示入力を受け入れ可能な「操作手段」に相当する。
　引用発明３において、入力ペン１３は、入力候補の選択の際にユーザにより操作され、所望の文字列が表示された部分の感圧式タブレット１４を触れることで選択するものであるから、入力ペン１３で感圧式タブレット１４を触れることによる入力に応じてユーザが指示する位置をポインタ位置として取得していることは明らかであり、また、この取得されたポインタ位置は、表示制御に用いられるものであるから、この取得が表示を制御する手段により行われることは明らかである。したがって、引用発明３は、本願発明の「前記操作手段が受け入れた指示入力に応じて利用者が指示する位置をポインタ位置として取得」する「表示制御手段」に相当する構成を有している。
　引用発明３の「入力候補」は、本願発明の「入力すべき情報列の一部を構成する第１情報の候補」に相当する。また、引用発明３において、音声入力表示部５１は、その中の入力候補表示部５１ａにおいて入力候補を提示しているから、入力候補を提示するウインドウであるといえる。したがって、引用発明３の「音声入力表示部５１」は、本願発明の「第１候補提示ウインドウ」に相当する。
　引用発明３の入力候補の中から選択される「所望の文字列」は、本願発明の「第１情報」に相当する。
　引用発明３において、ユーザは、音声入力表示部５１に表示された入力候補の中から所望の文字列を、入力ペン１３を操作してその部分を押して選択するときは、音声入力表示部５１に提示された入力候補の一つがポインタ位置の押圧操作に関連して所望の文字列として選択されるときであるといえる。ここで、押圧操作と本願発明の「移動操作」は、「操作」である点で一致する。
　引用発明３の「予測例示」は、本願発明の「前記情報列の一部を構成し前記第１情報の次に配列される第２情報の候補」に相当する。また、引用発明３の「予測例示表示部５２」は、予測例示を提示するウインドウであるといえるから、本願発明の「第２候補提示ウインドウ」に相当する。
　引用発明３において、予測例示表示部５２が音声入力表示部５１と隣接して表示されている。
　そして、引用発明３において、ユーザは、音声入力表示部５１の中の入力候補表示部５１ａに表示された文字列の候補である入力候補の中から所望の文字列を、入力ペン１３を操作してその部分を押して選択したときに、予測例示表示部５２には、選択された文字列に引き続き入力されると予測される文字列である予測例示が表示され、予測例示表示部５２が音声入力表示部５１と隣接して表示されている構成は、表示を制御する手段が行っていることは明らかである。
　したがって、引用発明３の「ユーザは、音声入力表示部５１の中の入力候補表示部５１ａに表示された文字列の候補である入力候補の中から所望の文字列を、入力ペン１３を操作してその部分を押して選択したときに、予測例示表示部５２には、選択された文字列に引き続き入力されると予測される文字列である予測例示が表示され、予測例示表示部５２が音声入力表示部５１と隣接して表示されている」構成と本願発明の「前記操作手段が受け入れた指示入力に応じて利用者が指示する位置をポインタ位置として取得し、入力すべき情報列の一部を構成する第１情報の候補を提示する第１候補提示ウインドウを表示し、前記第１候補提示ウインドウに提示された候補の一つが前記ポインタ位置の移動操作に関連して前記第１情報として選択されたときに、前記情報列の一部を構成し前記第１情報の次に配列される第２情報の候補を提示する第２候補提示ウインドウを前記第１候補提示ウインドウに隣接して表示する表示制御手段」は、「前記操作手段が受け入れた指示入力に応じて利用者が指示する位置をポインタ位置として取得し、入力すべき情報列の一部を構成する第１情報の候補を提示する第１候補提示ウインドウを表示し、前記第１候補提示ウインドウに提示された候補の一つが前記ポインタ位置の操作に関連して前記第１情報として選択され、前記情報列の一部を構成し前記第１情報の次に配列される第２情報の候補を提示する第２候補提示ウインドウを前記第１候補提示ウインドウに隣接して表示する表示制御手段」である点で一致する。
　
　すると、本願発明と引用発明３は、次の点で一致する。
＜一致点＞
「ポインティングデバイスを用いた情報入力を支援する情報入力支援装置であって、
　利用者の指示入力を受け入れる操作手段であって、提示される情報の少なくとも一つを選択する指示入力を受け入れ可能な操作手段と、
　前記操作手段が受け入れた指示入力に応じて利用者が指示する位置をポインタ位置として取得し、入力すべき情報列の一部を構成する第１情報の候補を提示する第１候補提示ウインドウを表示し、前記第１候補提示ウインドウに提示された候補の一つが前記ポインタ位置の操作に関連して前記第１情報として選択され、前記情報列の一部を構成し前記第１情報の次に配列される第２情報の候補を提示する第２候補提示ウインドウを前記第１候補提示ウインドウに隣接して表示する表示制御手段と、
　を含むことを特徴とする情報入力支援装置。」
　
　一方、両者は次の点で相違する。
＜相違点１＞
　本願発明では、第１候補提示ウインドウに提示された候補の一つが第１情報として選択される動作が、ポインタ位置の移動操作に関連しているのに対し、引用発明３では、ポインタ位置の押圧操作に関連している点。
＜相違点２＞
　本願発明では、第１候補提示ウインドウに提示された候補の一つが第１情報として選択されたときに、情報列の一部を構成し第１情報の次に配列される第２情報の候補を提示する第２候補提示ウインドウを第１候補提示ウインドウに隣接して表示するのに対し、引用発明３では、第１候補提示ウインドウに提示された候補の一つが第１情報として選択されたときに、第１候補提示ウインドウに隣接して表示されている第２候補提示ウインドウにおいて、情報列の一部を構成し第１情報の次に配列される第２情報の候補を提示する点。
　
３　当審の判断
　上記相違点について検討する。
＜相違点１及び２についての検討＞
　ポインティングデバイスにより階層的に順次選択候補を選択する表示技術において、ポインティングデバイスのポイント位置の移動操作に応じて、ポイント位置のある選択候補を選択したときに、その選択した項目の下位の選択候補を提示するウインドウを表示する技術は、例えば、引用例２（特に、段落【００３５】の記載及び図１参照。）及び原査定の拒絶の理由に引用された特開平９−２２２９４４号公報（特に、段落【００３７】の記載及び図１１〜１４参照。）に記載されているように、本願出願前周知である。したがって、引用発明３において、当該周知技術を適用して、第１候補提示ウインドウに提示された候補の一つがポインタ位置の移動操作に関連して第１情報として選択されたときに、情報列の一部を構成し第１情報の次に配列される第２情報の候補を提示する第２候補提示ウインドウを第１候補提示ウインドウに隣接して表示するように構成することは、当業者が容易に想到し得ることである。
　
　また、本願発明の構成によって生じる効果も、引用発明３及び周知技術から当業者が予測できる程度のものである。
　
　したがって、本願発明は、引用発明３及び周知技術に基づいて当業者が容易に発明をすることができたものである。
　
４　むすび
　以上のとおり、本願発明は、引用発明３及び周知技術に基づいて、当業者が容易に発明をすることができたものであるから、他の請求項について論及するまでもなく、本願は、特許法２９条２項の規定により特許を受けることができない。
　よって、結論のとおり審決する。